(57)【要約】      （修正有）【課題】蒸気エゼクターの作動においてエネルギーの使用が余りにも多過ぎ、蒸気の無駄使いに有る事に気が付きました。【解決手段】真空を私達に伝えてくれたのは蒸気の持つ速度エネルギーであり、冷たい水はどうしても真空を造る時に派生して来るもので、私達は此の真空発生の時点で出て来る水が、最少になる様に変える事に依って、真空発生を最も効率のよいものにする為の方法は、真空発生の原動力を造り出す高速蒸気流を造る為にどうしても其の速度エネルギーが必要であるが、同時に発生する水は、全く不要の長物である事に気付き、従来の方式を改め発生した水は別ルートで廃棄処理して、高速蒸気流１００％利用の真空発生装置の気液分離方式を採用した、蒸気エゼクターの再出発の目的で造られた特許請求の発明で有ります。【選択図】図１
2010159735.tif 000002
【特許請求の範囲】
【請求項１】
蒸気ノズル、並びにノズル直後に設置されるデフューザーの約２／３前後の箇所迄の２個の蒸気エゼクターの最重要部に回転運動を与えて、ノズル内で発生する高速蒸気流と此の高速蒸気流に、自己の持つ熱エネルギーを与え、水滴となって高速蒸気の流れに速度減速の機会を与える事を防止する目的で、末広がりノズル、及び之に連なるデフューザーの２／３程度の部分に毎分３００〜５００回転程度の回転運動を与えてノズルデフューザー内部の凝縮水に遠心力を与え、夫々の部品内壁に予め流路としての溝を設け、周辺に開けられた２ｍ／ｍ程度の孔を通じて外部に遠心除去をさせて蒸気の受け継いだ速度エネルギーの損失を防止し、此の蒸気密度差の大きな障害を取り除き、発生速度エネルギーの有効利用を計り、恐らく−１０℃〜−２０℃に近い冷水生産、或は１〜２ｍ／ｍＨｇ前後の高い真空度達成を可能にし得る事と同時に、作動蒸気圧の低減を目指しての障害除去効果は極めて大きな成果が得られるものと期待しており、弊社の独自試験装置でも吸気室に連なるレシーバー水温−６℃の実験データーを持った蒸気エゼクターの特許請求で有ります。
尚、ノズル及びデフューザーの回転は、１／２馬力の電動機１基で充分機能は果し得る。
【発明の詳細な説明】
【技術分野】蒸気の断熱膨張による真空発生装置、蒸気エジェクターは約９０年以前に発明され、欧米先進国の先駆技術者の技術開発のお陰で、私達人類の発展に大きな進歩と発展を齎し、我が国でも第二次大戦直後の日本の戦後復興に多大な貢献を頂戴致し、私自身これが欧米先進国の技術の最大のものであるとの認識を持って、此の素晴しい装置の導入をさせて頂き、今日まで数百台、数千台もの貴重な先進国よりの贈り物として勉強は勿論、理論解析についても必死に勉強させて頂き、私自身をはじめ、日本の技術者の全べての人々が恩恵を賜り、日本の発展復興と以後の技術進歩に、絶大な力と団結と復興を現在に至るまで、大変な感謝の心で接触を持たせて頂いて居ります。
【背景技術】私は終戦直後幸いにも、化学工場油脂関係の真空蒸留脱臭装置建設の手伝いのお仕事をさせて頂き、多くの先輩技術者と共に戦後の復興と新規開発のお仕事に携わり、何しろ此の素晴しい真空発生技術の勉強に１０年、２０年の月日を掛け、ようやく蒸気エゼクターの性能と、更に最も大切な抽気量に比較して、約１０倍の蒸気消費量である唯一の欠点も承知する事が出来、此の問題解明に自分の全てを打ち込み度く存じ、定年退社後小会社佐光技研を設立して此の蒸気量の軽減テーマ一つに絞り、実験と開発を進め平成１１年に「コンビネーションジェット」真空発生装置の特許認可を頂だい致し、幸い日本の大手メーカーさんに三井物産様のご支援も頂き、鹿島の久保田鉄工様、北九州の松下電工様宛てに夫々１基のご注文を頂き、抽気能力５０００Ｋｇ／Ｈ、真空度２０〜４０ｍ／ｍの建築外壁コンクリートボードの脱水冷却用として、長さ６０ｍ直径４ｍの大型商品用オートクレーブ用を伊藤忠商事様並びに大阪ボイラーさんの専属技術会社として佐光技研名で受注致し、現在１０数年を経て、何等の問題もなくご使用実績を頂き、以後全ての業務を新開発品に向けて努力の結果、ようやく問題解明への方向を発見し、以来１年間の試運転をへて、現在財政難から実験は本年１０月で打ち切られて居りますが、次の解決の方向が完全に姿を表す事が出来ましたので、今回の特許申請に踏み切った次第で有ります。
【発明が解決しようとする課題】
蒸気エゼクターで其の性能向上の効果阻害要因は唯一点。（Ａ）蒸気と水の関係であり（Ｂ）高い真空を造り出す事のエゼクターに与えられた条件も唯一つ。此の（Ａ）と（Ｂ）の組み合わせが、大変な誤りを作り出して居る事に始めて気付き、此の問題を解決する事のみが蒸気エゼクターの従来の過去の誤認を認めて訂正する事で、現在の１／１０〜１／２０近くの蒸気消費量で従来と同様の高い性能維持が可能になる事と存じて居ります。
【発明が解決する為の手段】
蒸気と水がその原因であり、何が悪かったのでしょう。私自身初めてこの問題にメスを入れた時、何故、１００年もの間、人間が気付かなかったのでしょうか？。
之は結果、即ち蒸気エゼクターそのものが、私も全く皆様と同様に素晴しい装置であったと同時に、結果が誰も近付く事を許さない蒸気エゼクターに依って齎された人類史上の素晴しい成果への誤認でしかない。私が今初めて申し上げる事自身、数年前に予想する事も出来ず、蒸気エゼクターの成果が無限であった事を示すもので、何がいけなかったのかと云えば、蒸気の持つ無限大のエネルギーが、人間を１００年近く騙し続けて来た以外想像する事は出来なかった。結果として私の７０年に近い取組みに依って解決する事でしょう。真空を蒸気で造り出す方法は蒸気の断熱膨張に依るもので、吹き込まれた蒸気は直ちに速度エネルギーに変り、毎秒２０００ｍの流速で通り抜けようとします。急激な温度低下を起しますと蒸気が水になり、更に氷になって、流速毎秒１〜２ｍ程度の速度でエゼクター内を通過して走り去って行き、約１０Ｋｇ／ｃｍ２の蒸気圧のもので、蒸気温度−４℃〜−５℃近くになりエゼクターの蒸気の通路全体が、高真空−５℃近くの水と超音速２０００ｍの低温蒸気は密度差１万倍くらいも重い氷滴と１〜２ｍ／ｍＨｇの圧力の蒸気が衝突して互いが片方は毎秒２０００ｍ水は毎秒１〜２ｍ、此れが通り抜けて行くのが見えない人間の誤認の最たるもの。水と蒸気を別のルートで流す事、分離蒸気は熱を加えて速度を上げられれば、外ジャケット加熱に依り、デフューザー内に小滴の存在すらなくす事が、唯一高真空、省エネルギー、地球温暖化防止で、恐らく蒸気エゼクターの１／２０程度の完全な地球温暖化防止効果は充分考慮出来、之が私の今回の特許認可申請の全てで有ります。
結果として此の解決は蒸気ノズル並びにデフューザー内を通過しようとする水の除去以外に方策はなく、その為ノズルに回転を与えて蒸気流と同じ方向への流れを止め、ノズルの遠心力を利用してノズル内に設けた、横孔と水分離溝の相乗作用に依る完全分離と共にデフューザー入口先細まり部分までの発生ミストを除去する事で有ります。
デフューザー最細部内を通過する蒸気速度は毎秒１５００〜２０００ｍ、水の流下速度は此の高速蒸気に押され、蒸気速度は大幅に減じ、水のデフューザー内の影響は、水の速度は蒸気流との衝突によって跳ね飛ばされ、蒸気流も自身の１０万倍もの比重差の大きい水に依る減速結果として発生するミストに回転を与えて分離する以外に方法はなく、特許認可への改善は「蒸気ノズル及びデフューザー末細まり部に回転運動を与えて、断熱膨張に依る蒸気ミストの遠心分離と、水の回転外周流路に依り、直流と回転側流分離に依る蒸気エネルギー損失防止装置を持った蒸気エゼクターの開発」で有ります。
【発明の効果】
現在の蒸気エゼクターは、此の蒸気ミストと蒸気流の密度格差の大きい流体の混合流に依る蒸気の速度エネルギーに依る、真空発生操作上の大切な、蒸気の速度エネルギーを大幅に阻害する要因としての水の除去を忘れて、強引に蒸気の持つ大きな速度エネルギーに頼り過ぎ、投入したエネルギーの９０％以上を、デフューザー内と蒸気ノズル内で交した結果として、誰も気付く事のない儘、８０年、９０年が経過した結果で、蒸気エゼクターのデフューザーは直管で充分ノズルで蒸気ミストを分離して、デフューザー手前でミスト分離を行い、従来のエゼクターの約１／１０の蒸気消費量で済む事から、地球温暖化にも大きな使命を果し得るものと考えて居ります。
【図面の簡単な説明】
【図１】［サンダ−コンビネ−シヨン・ジエツト］の略図  図面に見られる様に，上部  中心部本体を貫き．デフユ−ザ−上  吸入口上までの．１．５メ−タ−程度の長い  回転ノズルの使用によつてノヅル内より發生した蒸気ミストの殆どわ．ロングノズルの使用にる依る回転ノヅル内での，廃棄可能となりデフユ−ザ−内へのミストの浸入はほとんど無くなる物と感じられるが多小残る事も考えデフユ−ザ−内にも４本のミスト分離機能を持たせている。  デフユ−ザ−を通すぎるガスは１５００Ｍ／ＳＥＣ程度の速度でジエツトコンデンサ−上部フランジに接続されコンデンサ用水渦巻ポンプの稼動により，コンデンサ−下よりの大気圧下への旬還が開始される。
【図１】
2010159735.tif 000003